(57)【特許請求の範囲】
【請求項１】
所定のコンテンツを反射型表示体からなる所定の表示体の表示画面に表示させる表示装置であって、
前記表示画面内の異なる箇所への入射光量を検出して所定の撮像手段の撮像対象となっていることを検出する検出手段と、
前記検出手段で検出される前記異なる箇所への入射光量の差が所定閾値以上であるときに前記表示画面に表示されているコンテンツの少なくとも一部を消去する表示制御手段と、
を備えることを特徴とする表示装置。
【請求項２】
所定のコンテンツを反射型表示体からなる所定の表示体の表示画面に表示させる表示装置であって、
前記表示画面内の異なる箇所への入射光量を検出して所定の撮像手段の撮像対象となっていることを検出する検出手段と、
前記検出手段で検出される前記異なる箇所への入射光量の差が所定閾値以上であるときに前記表示画面に表示されているコンテンツとは別のコンテンツを当該表示画面に表示させる表示制御手段と、
を備えることを特徴とする表示装置。
【請求項３】
前記所定の表示体は、電力の供給がなくなってもそれまでの表示内容をそのまま表示し続ける記憶性表示体であることを特徴とする請求項１または請求項２に記載の表示装置。
【請求項４】
前記所定の撮像手段は、複写機又はスキャナであることを特徴とする請求項１から請求項３のいずれか１項に記載の表示装置。
【請求項５】
前記表示体の駆動方式は、アクティブマトリックス駆動方式であり、
前記検出手段は、前記表示体の各画素に対応するアクティブ素子に設けられた受光センサを含むことを特徴とする請求項１から請求項４のいずれか１項に記載の表示装置。
【請求項６】
前記表示画面に表示されているコンテンツの複製が許されているか否かを判定する判定手段と、
前記判定手段で前記コンテンツの複製が許されていると判定されたときに前記表示制御手段の動作を禁止する動作禁止手段と、
を備えることを特徴とする請求項１から請求項５のいずれか１項に記載の表示装置。
【請求項７】
所定のコンテンツを反射型表示体からなる所定の表示体の表示画面に表示させる表示装置の表示制御方法であって、
前記表示装置は、
前記表示画面内の異なる箇所への入射光量を検出して所定の撮像手段の撮像対象となっていることを検出する第一のステップと、
前記第一のステップで検出される前記異なる箇所への入射光量の差が所定閾値以上であるときに前記表示画面に表示されているコンテンツの少なくとも一部を消去する第二のステップと、
を実行することを特徴とする表示制御方法。
【請求項８】
所定のコンテンツを反射型表示体からなる所定の表示体の表示画面に表示させる表示装置の表示制御方法であって、
前記表示装置は、
前記表示画面内の異なる箇所への入射光量を検出して所定の撮像手段の撮像対象となっていることを検出する第一のステップと、
前記第一のステップで検出される前記異なる箇所への入射光量の差が所定閾値以上であるときに前記表示画面に表示されているコンテンツとは別のコンテンツを当該表示画面に表示させる第二のステップと、
を実行することを特徴とする表示制御方法。
【請求項９】
所定のコンテンツを反射型表示体からなる所定の表示体の表示画面に表示させる表示装置の表示制御方法であって、
前記表示装置は、
前記表示画面内の異なる箇所への入射光量を検出して所定の撮像手段の撮像対象となっていることを検出する第一のステップと、
前記表示画面に表示されているコンテンツの複製が許されているか否かを判定する第二のステップと、
前記第二のステップで前記コンテンツの複製が許されていないと判定され、前記第一のステップで検出される前記異なる箇所への入射光量の差が所定閾値以上であるときに、前記表示画面に表示されているコンテンツの少なくとも一部を消去する第三のステップと、
を実行することを特徴とする表示制御方法。
【発明の詳細な説明】
【技術分野】
【０００１】
本発明は、所定のコンテンツを反射型表示体等に表示させる表示装置に関する。
【背景技術】
【０００２】
従来、この種の表示装置としては、例えば、特許文献１に記載されているように、電子書籍等のコンテンツをコレステリック液晶や電気泳動型表示体等の反射型表示体に表示させて、利用者に当該コンテンツを閲覧させる表示装置がある。
【先行技術文献】
【特許文献】
【０００３】
【特許文献１】特開平１１−２７１７９９号公報
【発明の概要】
【発明が解決しようとする課題】
【０００４】
ところで、このような表示装置にあっては、コンテンツを反射型表示体に表示させるようになっているため、例えば、表示装置の軽量化・薄型化が進むと、複写機のコンタクトガラスに反射型表示体の表示画面を伏せて載置することで、表示画面に表示されているコンテンツをそのまま複写するという複製行為ができるようになってしまう恐れがある。
ところが、現在の表示装置は、重く厚いものが主流であり、複写機のコンタクトガラスに載置することが困難であろうことから、問題視されていないのが現状である。すなわち、従来のコピープロテクション方式は、コンテンツのデータの複製行為を禁止するものであり、電子媒体間の複製行為に対する防御策である。そのため、表示画面に表示されているコンテンツを直接複写することに対しては全く無防備な状態である。つまり、現在の表示装置には、表示画面に表示されているコンテンツを、そのまま複写機等の撮像手段で複写するような方法で複製することを防止する技術的手段が存在しないのである。
そこで本発明は、上記従来の技術の未解決の問題点を解決することを目的とするものであって、表示画面に表示されているコンテンツが、撮像手段でそのまま容易に撮像されてしまうことを防止することができる表示装置を提供することを課題とする。
【課題を解決するための手段】
【０００５】
上記課題を解決するため、本発明の各態様は、以下のような構成となる。
本発明の第１の態様は、
所定のコンテンツを反射型表示体からなる所定の表示体の表示画面に表示させる表示装置であって、前記表示画面内の異なる箇所への入射光量を検出して所定の撮像手段の撮像対象となっていることを検出する検出手段と、前記検出手段で検出される前記異なる箇所への入射光量の差が所定閾値以上であるときに前記表示画面に表示されているコンテンツの少なくとも一部を消去する表示制御手段と、を備えることを特徴とする。
本発明の第２の態様は、
所定のコンテンツを反射型表示体からなる所定の表示体の表示画面に表示させる表示装置であって、前記表示画面内の異なる箇所への入射光量を検出して所定の撮像手段の撮像対象となっていることを検出する検出手段と、前記検出手段で検出される前記異なる箇所への入射光量の差が所定閾値以上であるときに前記表示画面に表示されているコンテンツとは別のコンテンツを当該表示画面に表示させる表示制御手段と、を備えることを特徴とする。
本発明の第３の態様は、
前記所定の表示体は、電力の供給がなくなってもそれまでの表示内容をそのまま表示し続ける記憶性表示体であることを特徴とする。
【０００６】
本発明の第４の態様は、
前記所定の撮像手段は、複写機又はスキャナであることを特徴とする。
本発明の第５の態様は、
前記表示体の駆動方式は、アクティブマトリックス駆動方式であり、前記検出手段は、前記表示体の各画素に対応するアクティブ素子に設けられた受光センサを含むことを特徴とする。
【０００７】
本発明の第６の態様は、
前記表示画面に表示されているコンテンツの複製が許されているか否かを判定する判定手段と、前記判定手段で前記コンテンツの複製が許されていると判定されたときに前記表示制御手段の動作を禁止する動作禁止手段と、を備えることを特徴とする。
本発明の第７の態様は、
所定のコンテンツを反射型表示体からなる所定の表示体の表示画面に表示させる表示装置の表示方法であって、前記表示装置は、前記表示画面内の異なる箇所への入射光量を検出して所定の撮像手段の撮像対象となっていることを検出する第一のステップと、前記第一のステップで検出される前記異なる箇所への入射光量の差が所定閾値以上であるときに前記表示画面に表示されているコンテンツの少なくとも一部を消去する第二のステップと、を実行することを特徴とする。
【０００８】
本発明の第８の態様は、
所定のコンテンツを反射型表示体からなる所定の表示体の表示画面に表示させる表示装置の表示制御方法であって、前記表示装置は、前記表示画面内の異なる箇所への入射光量を検出して所定の撮像手段の撮像対象となっていることを検出する第一のステップと、前記第一のステップで検出される前記異なる箇所への入射光量の差が所定閾値以上であるときに前記表示画面に表示されているコンテンツとは別のコンテンツを当該表示画面に表示させる第二のステップと、を実行することを特徴とする。
【０００９】
本発明の第９の態様は、
所定のコンテンツを反射型表示体からなる所定の表示体の表示画面に表示させる表示装置の表示制御方法であって、前記表示装置は、前記表示画面内の異なる箇所への入射光量を検出して所定の撮像手段の撮像対象となっていることを検出する第一のステップと、前記表示画面に表示されているコンテンツの複製が許されているか否かを判定する第二のステップと、前記第二のステップで前記コンテンツの複製が許されていないと判定され、前記第一のステップで検出される前記異なる箇所への入射光量の差が所定閾値以上であるときに、前記表示画面に表示されているコンテンツの少なくとも一部を消去する第三のステップと、を実行することを特徴とする。
【図面の簡単な説明】
【００１３】
【図１】本発明の第１実施形態の電子ブックリーダの概略構成図である。
【図２】図１の電子ブックリーダの内部構成を示すブロック図である。
【図３】表示消去処理を示すフローチャートである。
【図４】実施形態の動作を説明するための説明図である。
【図５】実施形態の動作を説明するための説明図である。
【図６】第２実施形態の表示消去処理を示すフローチャートである。
【図７】第３実施形態の表示消去処理を示すフローチャートである。
【図８】本発明の変形例を説明するための説明図である。
【図９】本発明の変形例を説明するための説明図である。
【発明を実施するための形態】
【００１４】
以下、本発明に係る画像表示装置として、所定のページに区切られた電子ブックのコンテンツを閲覧するための電子ブックリーダの実施形態を図面に基づいて説明する。
図１は、本発明の一実施形態の外形を示す概略構成図である。また、図２は、本発明の一実施形態の内部構成を示すブロック図である。この図２に示すように、電子ブックリーダ１は、ＣＰＵ（Central Processing Unit）２、ＲＡＭ（Random Access Memory）３、ＲＯＭ(Read Only Memory)４、ページ送りボタン５、ページ戻しボタン６及び決定ボタン７が接続されたＩ／Ｏ８、ＶＲＡＭ（Video Ram）９、ディスプレイコントローラ１０、表示装置１１、タッチパネル１２が接続されたタッチパネルＩ／Ｏ１３及び２つの受光センサ１４が接続されたセンサＩ／Ｏ１５を含んで構成される。そして、ページ送りボタン５、ページ戻しボタン６、決定ボタン７、表示装置１１、タッチパネル１２及び受光センサ１４を除く各部は、バス１６で互いに接続されている。
【００１５】
これらのうちＣＰＵ２は、ＲＯＭ４に格納された基本制御プログラムやアプリケーションプログラム等の各種プログラム及びデータを読み込み、それら各種プログラム及びデータをＲＡＭ３内に設けられるワークエリアに展開して実行し、電子ブックリーダが備える各部の制御を実行する。また、ＣＰＵ２は、Ｉ／Ｏ８からページ送り信号が出力されると、表示装置１１に表示されているコンテンツの次ページのコンテンツの画像データ（以下、ラスタデータとも呼ぶ。）を生成し、そのラスタデータをＶＲＡＭ９に格納させる。
さらに、ＣＰＵ２は、所定時間（例えば、１０msec.）が経過するたびに、表示消去処理（後述）を実行し、受光センサ１４が光を検出できなくなると、電気泳動表示体１７（後述）に表示されているコンテンツが消去されるように表示装置１１を制御する。
【００１６】
また、ＲＡＭ３は、各種プログラムを展開するワークエリアを形成するとともに、ＣＰＵ２により実行される各種処理に係るデータを展開するためのメモリ領域を形成する。
さらに、ＲＯＭ４は、ＣＰＵ２により実行される基本制御プログラムや各種アプリケーションプログラム及びデータ等を格納する。なお、ＲＯＭ４内の各種プログラム及びデータ等は、いずれもＣＰＵ２により読み取り及び実行可能な形式で格納されている。
また、Ｉ／Ｏ８は、それまでのコンテンツの次ページのコンテンツを表示装置１１に切換表示させるためのページ送りボタン５、前ページのコンテンツを表示装置１１に切換表示させるためのページ戻しボタン６及び決定ボタン７が接続されている。そして、Ｉ／Ｏ８は、ページ送りボタン５が押下操作されると、ページ送り信号をＣＰＵ２に出力する。
【００１７】
さらに、ＶＲＡＭ９は、ＣＰＵ２からの書き込み要求に従って、ラスタデータを格納する。また、ＶＲＡＭ９は、ディスプレイコントローラ１０からの読み出し要求に従って、その格納されたラスタデータをディスプレイコントローラ１０に出力する。
また、ディスプレイコントローラ１０は、ＶＲＡＭ９に格納されているラスタデータを読み出し、その読み出されたラスタデータに基づいて、ゲートドライバ駆動用データ及びソースドライバ駆動用データを生成する。そして、ディスプレイコントローラ１０は、その生成されたゲートドライバ駆動用データ及びソースドライバ駆動用データを、表示装置１１のゲートドライバ１８（後述）及びソースドライバ１９（後述）に分配出力する。
【００１８】
また、表示装置１１は、複数の画素がアレイ状に形成された電気泳動表示体１７、つまり、表示画面に入射する外光を反射させることで表示を行い、且つ、電力の供給がなくなってもそれまでの表示内容をそのまま表示し続ける表示体を中央に備える。また、表示装置１１は、その電気泳動表示体１７の平面視左側に、ゲートドライバ１８を備え、さらに、電気泳動表示体１７の平面視上側に、ソースドライバ１９を備える。そして、表示装置１１は、ディスプレイコントローラ１０から出力されるゲートドライバ駆動用データ及びソースドライバ駆動用データに基づいてゲートドライバ１８及びソースドライバ１９を駆動し、電気泳動表示体１７の各画素に所定電圧を印加することで、それら駆動用データに対応するラスタデータ（コンテンツの画像）を電気泳動表示体１７に表示する。
【００１９】
また、タッチパネルＩ／Ｏ１３は、電気泳動表示体１７の前面側を覆うように配されたタッチパネル１２が接続されている。そして、タッチパネルＩ／Ｏ１３は、タッチパネル１２が押圧操作されると、操作位置を示すタッチパネル信号をＣＰＵ２に出力する。
さらに、センサＩ／Ｏ１５は、電気泳動表示体１７の平面視右上方及び左下方それぞれに配された２つの受光センサ１４が接続されている。そして、センサＩ／Ｏ１５は、電気泳動表示体１７の前面側への入射光量を検出し、その検出結果をＣＰＵ２に出力する。
【００２０】
次に、受光センサ１４が光を検出できなくなったときに、電気泳動表示体１７に表示されているコンテンツを消去する表示消去処理を、図３のフローチャートに従って説明する。この表示消去処理は、所定時間が経過するたびに実行される処理であって、まず、そのステップＳ１０１では、電気泳動表示体１７への入射光量を２つの受光センサ１４それぞれに検出させ、それら２つの受光センサ１４による検出結果それぞれを読み込む。
【００２１】
次にステップＳ１０２に移行して、表示画面が遮光されているか、つまり、２つの受光センサ１４のうちに光を検出できない状態にあるものが１つでもあるか否かを判定し、光を検出できない状態にあるものが１つでもある場合には（Ｙｅｓ）ステップＳ１０３に移行し、１つもない場合には（Ｎｏ）そのままこの演算処理を終了する。なお、受光センサ１４が光を検出できない状態にあるか否かを判定する方法としては、前記ステップＳ１０１で検出された入射光量が正値である第１閾値（≒０）以下であるか否かを判定し、第１閾値以下である場合に、光を検出できない状態にあると判定する方法が挙げられる。
前記ステップＳ１０３では、電気泳動表示体１７の全画素を白色とするラスタデータを生成し、そのラスタデータをＶＲＡＭ９に格納させてから、この演算処理を終了する。
【００２２】
次に、本実施形態の電子ブックリーダ１の動作を具体的状況に基づいて説明する。
まず、図４に示すように、電子ブックリーダ１の電気泳動表示体１７に表示されているコンテンツをそのまま複写するために、利用者が電子ブックリーダ１の前面側を複写機のコンタクトガラスに伏せて載置したとき、つまり、２つの受光センサ１４で検出される電気泳動表示体１７への入射光量が「０」となったときに、ＣＰＵ２で表示消去処理が実行されたとする。すると、図３に示すように、まず、そのステップＳ１０１で、電気泳動表示体１７への入射光量「０」が２つの受光センサ１４それぞれから読み込まれ、ステップＳ１０２の判定が「Ｙｅｓ」となり、ステップＳ１０３で、電気泳動表示体１７の全画素を白色とするラスタデータが生成され、そのラスタデータがＶＲＡＭ９に格納される。
【００２３】
そして、ディスプレイコントローラ１０で、ＶＲＡＭ９に格納されているラスタデータが読み出され、その読み出されたラスタデータに基づいてゲートドライバ駆動用データ及びソースドライバ駆動用データが生成され、その生成されたゲートドライバ駆動用データ及びソースドライバ駆動用データが表示装置１１に出力される。そして、表示装置１１で、その出力されたゲートドライバ駆動用データ及びソースドライバ駆動用データに基づいてゲートドライバ１８及びソースドライバ１９が駆動され、電気泳動表示体１７の全画素に等しい電圧が印加されて、図５に示すように、電気泳動表示体１７の全画素が白色とされ、その結果、電気泳動表示体１７に表示されていたコンテンツが全て消去される。
【００２４】
このように、本実施形態の電子ブックリーダ１にあっては、電気泳動表示体１７の前面側に光が入射しなくなった場合に、電気泳動表示体１７の全画素を白色とするようにした。そのため、電気泳動表示体１７に表示されているコンテンツをそのまま複写するために、複写機のコンタクトガラスに電気泳動表示体１７の前面側が伏せて載置されたときに、電気泳動表示体１７に表示されていたコンテンツを全て消去することができ、その結果、電気泳動表示体１７に表示されているコンテンツがそのまま複写機で容易に複写されてしまうことを防止することができる。
【００２５】
次に、本発明の表示装置の第２実施形態について説明する。この実施形態は、電気泳動表示体１７への入射光量が十分に大きい第２閾値以上であるときに、つまり、複写機から発せられるスキャン光が電気泳動表示体１７の前面側に入射しているときに、電気泳動表示体１７の全画素を白色とするようにした点が上記第１実施の形態と異なっている。具体的には、上記第１実施形態のＣＰＵ２で行われる表示消去処理の図３のステップＳ１０２が、図６のステップＳ１０２’に変更されている。このステップＳ１０２’は、前記ステップＳ１０１で検出された入射光量が第２閾値（＝複写機から発せられるスキャン光の強さ）以上であるか否かを判定し、第２閾値以上である場合には（Ｙｅｓ）ステップＳ１０３に移行し、そうでない場合には（Ｎｏ）そのままその演算処理を終了する。
なお、この図６の演算処理は、前記第１実施形態の図３の演算処理と同等のステップを多く含んでおり、同等のステップには同等の符号を付して、その詳細な説明を省略する。
【００２６】
このように、本実施形態の電子ブックリーダ１にあっては、電気泳動表示体１７の前面側に強い光が入射した場合に、電気泳動表示体１７の全画素を白色とするようにした。そのため、電気泳動表示体１７に表示されているコンテンツをそのまま複写するために、複写機のコンタクトガラスに電気泳動表示体１７の前面側が伏せて載置された後、複写機からスキャン光が発せられたときに、電気泳動表示体１７に表示されていたコンテンツを全て消去することができ、その結果、電気泳動表示体１７に表示されているコンテンツがそのまま複写機で容易に複写されてしまうことを防止することができる。
【００２７】
なお、本実施形態では、電気泳動表示体１７の平面視右上側及び左下側のそれぞれに受光センサ１４を配する例を示したが、これに限られるものではなく、例えば、電気泳動表示体１７の駆動方式がアクティブマトリックス駆動方式である場合には、電気泳動表示体１７の各画素に対応するアクティブ素子（トランジスタ）に受光センサ１４を設けるようにしてもよい。そのようにすれば、利用者が受光センサ１４を積極的に或いは過って塞いでしまうことで、受光センサ１４によるスキャン光の検出が妨げられてしまうことを防止することができ、その結果、電気泳動表示体１７に表示されているコンテンツがそのまま複写機で容易に複写されてしまうことをより確実に防止することができる。
【００２８】
また、電気泳動表示体１７への入射光量が十分に大きい第２閾値以上であるときにのみ、当該電気泳動表示体１７に表示されているコンテンツを全て消去する例を示したが、これに限られるものではない。例えば、受光センサ１４による受光量が第２閾値以上であるときに加えて、受光センサ１４の受光量が第１閾値（≒０）以下であるときにも前記コンテンツを全て消去するようにしてもよい。そのようにすれば、利用者が受光センサ１４を積極的に或いは過って塞いでしまい、受光センサ１４によるスキャン光の検出が妨げられる状態となったときにも、コンテンツを全て消去することができ、その結果、電気泳動表示体１７に表示されているコンテンツがそのまま複写機で容易に複写されてしまうことをより確実に防止することができる。
【００２９】
また、電気泳動表示体１７の平面視右上方の受光センサ１４で検出される入射光量と左下方の受光センサ１４で検出される入射光量の差が第３閾値（≒０）以上であるときに、前記コンテンツを全て消去するようにしてもよい。そのようにすれば、電気泳動表示体１７に表示されているコンテンツを複写するために、複写機のコンタクトガラスに電気泳動表示体１７の前面側が伏せて載置された後、スキャン光の照射が開始され、複写機から発せられるスキャン光が電気泳動表示体１７の平面視上側にのみ入射し、平面視下側には入射していない状態となったときに、コンテンツを消去することができ、その結果、電気泳動表示体１７に表示されているコンテンツがそのまま複写機で容易に複写されてしまうことを防止することができる。
【００３０】
さらに、電気泳動表示体１７に表示されているコンテンツを複写機で複写するためのスキャン光が検出されたときに、当該コンテンツを全て消去するようにした例を示したが、これに限られるものではない。例えば、コンテンツをスキャナでイメージスキャンするためのスキャン光が検出されたときに、当該コンテンツを消去するようにしてもよく、また、前記コンテンツをデジカメで撮像するためのフラッシュ光が検出されたときに、当該コンテンツを消去するようにしてもよい。
【００３１】
次に、本発明の表示装置の第３実施形態について説明する。この実施形態は、電気泳動表示体１７に表示されているコンテンツのデータに当該コンテンツの著作権保護の必要がないこと、つまり、当該コンテンツの複製が許されていることを積極的に示す保護不要フラグデータが含まれている場合には、電気泳動表示体１７の全画素を白色とする動作を禁止するようにした（電気泳動表示体１７に表示されているコンテンツが自動的に消去されないようにした）点が上記第１実施の形態と異なっている。具体的には、上記第１実施形態のＣＰＵ２で行われる表示消去処理の図３のステップＳ１０１とＳ１０２との間に、図７のステップＳ１０１’が挿入されている。このステップＳ１０１’は、電気泳動表示体１７に表示されているコンテンツのデータに保護不要フラグデータが含まれているか否かを判定し、保護不要フラグデータが含まれていない場合には（Ｎｏ）ステップＳ１０２に移行し、保護不要フラグデータが含まれている場合には（Ｙｅｓ）そのままその演算処理を終了する。なお、この保護不要フラグデータは、コンテンツの作成時に（コンテンツ作成者）のみ当該コンテンツのデータに含ませることができるデータであるとする。
【００３２】
なお、この図７の演算処理は、前記第１実施形態の図３の演算処理と同等のステップを多く含んでおり、同等のステップには同等の符号を付して、その詳細な説明を省略する。
このように、本実施形態の電子ブックリーダ１にあっては、保護不要フラグデータが含まれている場合には、電気泳動表示体１７の全画素を白色とする動作を禁止するようにした。そのため、コンテンツ作成時に、当該コンテンツのデータに保護不要フラグデータを含ませておくことで、自身で作成したコンテンツの撮像（複写）が困難となってしまうことを防止することができ、その結果、利便性を向上することができる。
【００３３】
なお、本実施形態では、コンテンツの著作権保護の必要がないことを積極的に示す保護不要フラグデータが含まれているとき、つまり、当該コンテンツの著作権保護が必要ないと判定されているときに、前記コンテンツを消去することを禁止する例を示したが、これに限られるものではない。例えば、著作権保護の必要があることを示すデータが含まれていないときに前記消去を禁止するようにしてもよい。具体的には、例えば、規定回数以上のデータの複写を禁じるためのＳＣＭＳ(Serial Copy Management System)の複写フラグが含まれているか否かを判定し、複写フラグが含まれていない場合には、前記消去を禁止するようにしてもよい。なお、その際、例えば、メディアＩＤ方式等の認証が必要な著作権保護形式にあっては、認証がされたコンテンツを、著作権保護が必要ないコンテンツとは異なるメモリ空間に格納するようにする。
【００３４】
以上、上記実施形態にあっては、図２の電気泳動表示体１７が請求の範囲に記載の表示体を構成し、以下同様に、図１及び図２の受光センサ１４、図３及び図６のステップＳ１０１が検出手段を構成し、図２のＣＰＵ２、図３のステップＳ１０２及びＳ１０３、図６のステップＳ１０２’及びＳ１０３が表示制御手段を構成し、図７のステップＳ１０１’が判定手段及び動作禁止手段を構成する。
【００３５】
また、本発明の表示装置は、上記実施の形態の内容に限定されるものではなく、本発明の趣旨を逸脱しない範囲で適宜変更可能である。
上記実施形態では、電気泳動表示体１７の平面視右上側及び左下側に設けられた受光センサ１４の検出結果に基づいて電気泳動表示体１７に表示されているコンテンツを全て消去する例を示したが、これに限られるものではない。例えば、電子ブックリーダ１の前面側に接触物が接触していることを検出する接触センサを受光センサ１４に代えて設け、その接触センサによって電気泳動表示体１７の前面側に接触する接触物があることが検出されたときに、電気泳動表示体１７に表示されていたコンテンツを全て消去するようにしてもよい。そのようにすれば、電気泳動表示体１７に表示されているコンテンツをそのまま複写するために、光学式の複写機のコンタクトガラスに電気泳動表示体１７の前面側が伏せて載置され、電気泳動表示体１７の前面側が前記コンタクトガラスに接触したときに、電気泳動表示体１７に表示されていたコンテンツを全て消去することができる。
【００３６】
また、電気泳動表示体１７の全画素を白色とすることで、電気泳動表示体１７に表示されていたコンテンツを全て消去する例を示したが、これに限られるものではない。例えば、図８に示すように、当該コンテンツの一部のみを消去するようにしてもよいし、図９に示すように、当該コンテンツとは別のコンテンツを表示させるようにしてもよい。
さらに、電子ブックのコンテンツを表示させる表示体として反射型表示体である電気泳動表示体１７を用いる例を示したが、これに限られるものではない。例えば、コレステリック液晶パネル等、電気泳動表示体１７以外の反射型表示体を用いるようにしてもよい。
【００３７】
また、単に電気泳動表示体１７に表示されていたコンテンツを消去する例を示したが、これに限られるものではない。例えば、電気泳動表示体１７に表示されていたコンテンツを一旦消去するときに、それまで電気泳動表示体１７に表示されていたコンテンツのラスタデータを保持させておく状態保持部を電子ブックリーダ１の内部に設け、その一旦消去したコンテンツを再表示するときに、前記状態保持部に保持されているラスタデータを用いることで、前記一旦消去したコンテンツを容易に再表示できるようにしてもよい。
【符号の説明】
【００３８】
１は電子ブックリーダ、２はＣＰＵ、３はＲＡＭ、４はＲＯＭ、５はページ送りボタン、６はページ戻しボタン、７は決定ボタン、８はＩ／Ｏ、９はＶＲＡＭ、１０はディスプレイコントローラ、１１は表示装置、１２はタッチパネル、１３はＩ／Ｏ、１４は受光センサ、１５はＩ／Ｏ、１６はバス、１７は電気泳動表示体、１８はゲートドライバ、１９はソースドライバ
【図１】
0005233834.tif 000002
【図２】
0005233834.tif 000003
【図３】
0005233834.tif 000004
【図４】
0005233834.tif 000005
【図５】
0005233834.tif 000006
【図６】
0005233834.tif 000007
【図７】
0005233834.tif 000008
【図８】
0005233834.tif 000009
【図９】
0005233834.tif 000010